(57)【特許請求の範囲】
【請求項１】
処置に応じた薬液を患部に向けて噴霧するための薬液噴霧キットであって、薬液を収容する筒状のシリンダの一端に連通連設された筒状の接続部にキャップが封着されるとともに、前記シリンダの軸心方向に移動可能にピストンが装填されてシリンダ内に薬液が封入され、前記キャップがシリンダ内の内圧上昇に抗して接続部に対する封着状態を維持可能で且つ取外し可能に設けられた噴霧器本体と、前記接続部に対して流体的に接続可能なスプレーノズルとを備え、前記スプレーノズルには、接続部に接続された状態で、ピストンの移動によって薬液が加圧状態にあるときに該薬液の流通を許容する一方、ピストンが停止して薬液が非加圧状態にあるときに該薬液の流通を阻止する液だれ防止手段が内装され、前記液だれ防止手段は、弾性変形可能な材料で成形された弁部材を備え、該弁部材は、先端が閉塞して外観円錐台状に形成されたテーパ筒状部を有し、該テーパ筒状部に軸線方向に延びるスリットが設けられ、前記スプレーノズルを前記接続部に接続した状態でテーパ筒状部の基端が先端よりもシリンダ側に位置するように配置されていることを特徴とする薬液噴霧キット。
【請求項２】
前記噴霧器本体は、シリンダ及びキャップに筒状のシュリンク材を被嵌して該シュリンク材を収縮させることで一体的に包装されている請求項１記載の薬液噴霧キット。
【請求項３】
前記薬液が癒着防止液である請求項１又は２に記載の薬液噴霧キット。
【発明の詳細な説明】
【技術分野】
【０００１】
本発明は、処置に応じた薬液を患部に向けて噴霧するための薬液噴霧キットに関する。
【背景技術】
【０００２】
近年、医療技術や薬液の進歩に伴い、種々の処置方法や治療方法（以下、単に処置方法という）が提案されている。その一つとして、皮下注射で薬液を投与したり、クリーム状の薬剤やゲル状の薬剤を患部に塗布したりする従来の処置方法よりも処置の対応範囲が広がり、また、処置の作業性が良好であるとして、薬液を直接患部に吹き付ける処置方法が提案されている。
【０００３】
例えば、腸閉塞や卵管閉塞等の術後合併症の原因となる創傷部の治癒に伴う腸管や臓器への癒着防止を目的に、従来からゼラチンや修飾ヒアルロン酸等を用いたフィルム状の癒着防止剤が提供されているが、これらのフィルムでは、処置を行う際に作業性が悪かったり患部の状況（大きさや場所等）によって適用できなかったりする場合があるとして、液状の癒着防止剤（例えば、イコデキストリン溶液）が開発され、その薬液を患部に直接吹き付ける処置方法が提案されている。かかる処置方法によれば、薬液を患部に向けて吹き付けるだけで、確実に患部に薬液を付着させることができため、煩雑な作業を一切行うことなく迅速な処置が可能となる。
【０００４】
ところで、各種薬液は、容器に入れられて流通するのが一般的であり、処置を行う際に薬液を吹き付ける器具（噴霧器）に薬液を移し替えるといった煩雑な作業を要する。
【０００５】
そこで、処置を行う際に薬液の移し替えが必要のないように、予め薬液が封入された噴霧器が提供されている。かかる噴霧器は、薬液を収容した筒状のシリンダの一端に連通連設された筒状の接続部にスプレーノズルが固着されるとともに、前記シリンダの軸心方向に移動可能にピストンが装填されることで、シリンダ内に薬液が封入されており、ピストンを移動させて薬液を加圧することでスプレーノズルから薬液を噴霧できるようになっている。
【０００６】
また、上記噴霧器のスプレーノズルには、薬液が加圧状態にあるときに該薬液の流通を許容する一方、薬液が被加圧状態にあるときに該薬液の流通を阻止する液だれ防止手段が内装されており、未使用時において薬液の液だれを防止できるようになっている（例えば、特許文献１参照）。
【特許文献１】特公平６−１３０５４号公報
【発明の開示】
【発明が解決しようとする課題】
【０００７】
ところで、薬液を収容した容器や器具は、加熱殺菌処理が行われるのが通常であるが、上記構成の噴霧器は、シリンダ内の薬液が加圧状態にあるとき（シリンダ内の内圧が上昇するとき）に薬液の流通を許容する液だれ防止手段がスプレーノズルに内装されているため、加熱殺菌処理に伴うシリンダ内の内圧の上昇でスプレーノズルから薬液が漏れ出てしまうといった問題がある。そのため、スプレーノズルに薬液が付着したまま加熱殺菌処理が完了してしまい衛生上問題がある。また、このように薬液が漏れ出てしまうと、シリンダ内に残存する薬液が当初の量（計量して充填した量）よりも減ってしまうため、処置を行う際に予め設定した薬液投与量で薬液を投与できない場合がある。
【０００８】
そこで、本発明は、斯かる実情に鑑み、使用直前まで薬液を適正な状態で封入することができ、煩雑な作業を行うことなく患部に対して薬液を吹き付けることのできる薬液噴霧キットを提供することを課題とする。
【課題を解決するための手段】
【０００９】
本発明に係る薬液噴霧キットは、処置に応じた薬液を患部に向けて噴霧するための薬液噴霧キットであって、薬液を収容する筒状のシリンダの一端に連通連設された筒状の接続部にキャップが封着されるとともに、前記シリンダの軸心方向に移動可能にピストンが装填されてシリンダ内に薬液が封入され、前記キャップがシリンダ内の内圧上昇に抗して接続部に対する封着状態を維持可能で且つ取外し可能に設けられた噴霧器本体と、前記接続部に対して流体的に接続可能なスプレーノズルとを備え、前記スプレーノズルには、接続部に接続された状態で、ピストンの移動によって薬液が加圧状態にあるときに該薬液の流通を許容する一方、ピストンが停止して薬液が非加圧状態にあるときに該薬液の流通を阻止する液だれ防止手段が内装され、前記液だれ防止手段は、弾性変形可能な材料で成形された弁部材を備え、該弁部材は、先端が閉塞して外観円錐台状に形成されたテーパ筒状部を有し、該テーパ筒状部に軸線方向に延びるスリットが設けられ、前記スプレーノズルを前記接続部に接続した状態でテーパ筒状部の基端が先端よりもシリンダ側に位置するように配置されていることを特徴とする。
【００１０】
上記構成の薬液噴霧キットによれば、薬液を収容する筒状のシリンダの一端に連通連設された筒状の接続部にキャップが封着されるとともに、前記シリンダの軸心方向に移動可能にピストンが装填されてシリンダ内に薬液が封入された噴霧器本体を備えているので、使用直前まで密封状態で維持することになり、薬液が漏れ出たり外気に触れたりするのを防止することができる。特に、該噴霧器本体は、キャップがシリンダ内の内圧上昇に抗して接続部に対する封着状態を維持可能に設けられているので、加熱殺菌処理を行ったときや、ピストンに何らかの外力が作用しても薬液が漏れることがない。これにより、使用直前まで薬液を適正量まま衛生的な状態で維持することができる。
【００１１】
そして、該薬液噴霧キットは、噴霧器本体のキャップが接続部に対して取外し可能に設けられるとともに、接続部に対して流体的に接続可能なスプレーノズルを備えているので、キャップを取外してスプレーノズルを接続部に取り付けた上で、ピストンで薬液を押し出すことで、スプレーノズルから薬液を噴霧することができる。また、スプレーノズルには、接続部に接続された状態で、ピストンの移動によって薬液が加圧状態にあるときに該薬液の流通を許容する一方、ピストンが停止して薬液が非加圧状態にあるときに該薬液の流通を阻止する液だれ防止手段が内装され、液だれ防止手段は、弾性変形可能な材料で成形された弁部材を備え、該弁部材は、先端が閉塞して外観円錐台状に形成されたテーパ筒状部を有し、該テーパ筒状部に軸線方向に延びるスリットが設けられ、前記スプレーノズルを前記接続部に接続した状態でテーパ筒状部の基端が先端よりもシリンダ側に位置するように配置されているため、使用時においても、不必要な薬液の液だれが防止されて衛生的な状態にすることができる上に、薬液を円滑に噴霧することができる。
【００１２】
本発明の一態様として、前記噴霧器本体は、シリンダ及びキャップに筒状のシュリンク材を被嵌して該シュリンク材を収縮させることで一体的に包装されていることが好ましい。このようにすれば、接続部に封着されたキャップがシュリンク材によってシリンダと一緒に包み込まれて接続部からの離脱が規制された状態（キャップがシリンダ側に押さえ込まれた状態）となり、例えば、加熱殺菌処理やピストンに対する外力の作用等が生じてシリンダ内の内圧が上昇しても、接続部に対してキャップを封着状態で維持させることができる。その一方で、使用時にシュリンク材の少なくともキャップを包装した部位を取り除けば、規制が解除されてキャップを取り外すことができる。
【００１３】
これにより、簡易な構成としつつも、シリンダ内の内圧上昇に抗して接続部に対する封着状態を維持可能で且つ取外し可能にキャップを設けることができる。なお、キャップ及びスプレーノズルを接続部に係合させて接続する構成としても、上述の如くシュリンク材で包装することで、キャップ及びスプレーノズルが接続部から離脱するのをより確実に規制することができる。また、シュリンク材に、薬液に関する情報を印刷すれば、薬液噴霧キット（噴霧器本体）のラベルとして兼用することができる。
【００１４】
そして、本発明に係る薬液噴霧キットは、前記薬液が癒着防止液である薬液噴霧キットに好適である。
【発明の効果】
【００１５】
以上のように、本発明に係る薬液噴霧キットによれば、使用直前まで薬液を適正な状態で封入することができ、煩雑な作業を行うことなく患部に対して薬液を吹き付けることができるという優れた効果を奏し得る。
【発明を実施するための最良の形態】
【００１６】
以下、本発明の一実施形態に係る薬液噴霧キットについて、添付図面を参照しつつ説明する。
【００１７】
かかる薬液噴霧キットは、処置に応じた薬液を患部に向けて噴霧するためのものであり、本実施形態においては、外科手術（特には、消化器系外科手術）の術後に創傷部治癒に伴う臓器同士の癒着を防止する薬液（癒着防止液）を患部に噴霧することを対象としている。なお、癒着防止液としては、癒着防止成分を注射用水に溶解したものが採用され、例えば、トレハロースの５％〜１５％溶液が採用される。
【００１８】
本実施形態に係る薬液噴霧キットは、図１に示す如く、薬液を収容する筒状のシリンダ１００の一端に連通連設された筒状の接続部１０１にキャップ１０２が封着されるとともに、前記シリンダ１００の軸心方向に移動可能にピストン１０３が装填されてシリンダ１００内に薬液が封入され、前記キャップ１０２がシリンダ１００内の内圧上昇に抗して接続部１０１に対する封着状態を維持可能で且つ取外し可能に設けられた噴霧器本体１０と、前記接続部１０１に対して流体的に接続可能なスプレーノズル２０とを備えている。
【００１９】
前記シリンダ１００及び接続部１０１は、一体的に樹脂成形されている。前記シリンダ１００は、略円筒状に形成されており、一端部に径方向内方に延出した円環状部１０４が形成され、他端部に径方向外方に延出した一対のフランジ１０５，１０５が形成されている。本実施形態においては、薬液の一回の使用分として、５ｍｌ〜１００ｍｌ、好ましくは、１０ｍｌ〜５０ｍｌに設定され、前記シリンダ１００は、装填されたピストン１０３がシリンダ１００の他端側に位置した状態で、５ｍｌ〜１００ｍｌ、好ましくは、１０ｍｌ〜５０ｍｌの薬液を収容できる内部空間が形成されるように、内径及び軸線方向の長さが設定されている。
【００２０】
前記接続部１０１は、シリンダ１００よりも小径な円筒状に形成されている。そして、該接続部１０１は、前記円環状部１０４の内周に一端部が接続され、他端側がシリンダ１００の一端よりも外方に延出している。本実施形態に係る接続部１０１は、外周に雄ねじ（採番しない）が設けられており、キャップ１０２及びスプレーノズル２０を螺着できるようになっている。
【００２１】
前記ピストン１０３は、ゴム等の弾性材料を成形したもので、この弾性材料として、例えば、イソプレンゴムやスチレン系エラストマー等を採用することができる。
【００２２】
該ピストン１０３は、シリンダ１００の内穴の形状に対応して形成されており、シリンダ１００の軸線方向で移動可能に該シリンダ１００内に圧入されている。本実施形態においては、シリンダ１００が略円筒状に形成されることから、本実施形態に係るピストン１０３は、略円柱状に形成され、外周にシリンダ１００の内径よりもやや大きめの外径に設定されたシール部１０６が径方向外方に突出して形成されている。これにより、シリンダ１００に装填した状態で、シール部１０６が変形してシリンダ１００の内周面に密接し、シリンダ１００内に封入した薬液の液漏れを防止できるようになっている。
【００２３】
本実施形態において、前記シール部１０６は、ピストン１０３の軸線方向に間隔をあけて複数箇所（図においては３カ所）に形成されている。これにより、上述のようなシール性（液漏れ防止）を担保しつつシリンダ１００の内周面との接触面積（抵抗）を小さくしてピストン１０３の移動を許容している。そして、本実施形態にピストン１０３は、一端側に該ピストン１０３の移動方向に延びるプランジャ１０７が連設されている。
【００２４】
本実施形態に係るプランジャ１０７は、断面十字状をなしてピストン１０３の移動方向に延びるプランジャ本体１０７ａと、該プランジャ本体１０７ａの一端にピストン１０３の移動方向と直交するように形成された押圧部１０７ｂと、プランジャ本体１０７ａの他端部に設けられたピストン連結部１０７ｃとを備えている。ピストン連結部１０７ｃは、ピストン１０３の一端面と接着できるように平板状に形成されたり、ピストン１０３の一端面に形成された凹部（奥側に向けて内部空間が拡大する凹部）に圧入できるように、凹部の形状に対応して先端側ほど径が拡大するように形成されたりする。すなわち、ピストン１０３とプランジャ１０７との連結は、種々の態様をとることができ、プランジャ１０７のピストン連結部１０７ｃはピストン１０３との連結の態様に合わせて適正形成される。
【００２５】
プランジャ１０７は、ピストン連結部１０７ｃに連結されたピストン１０３がシリンダ１００の一端側に位置した状態で押圧部１０７ｂがシリンダ１００の他端よりも外側に位置するようにプランジャ本体１０７ａの長さが設定されている。なお、プランジャ本体１０７ａは、丸棒状や角棒状のものであってもよい。
【００２６】
前記キャップ１０２は、ゴムや樹脂等の弾性材料を成形したもので、この弾性材料として、例えば、イソプレンゴムやスチレン系エラストマー等を採用することができ、本実施形態においては、イソプレンゴムを採用している。該キャップ１０２は、接続部１０１に取り付けた状態で接続部１０１の先端開口を閉塞できるようになっている。すなわち、該キャップ１０２は、接続部１０１を嵌め込む非貫通状態の穴１０８が形成されており、該穴１０８の奥部で接続部１０１の先端開口を閉塞するようになっている。
【００２７】
本実施形態においては、上述の如く、接続部１０１の外周に雄ねじが設けられているため、該キャップ１０２の穴１０８の内周には接続部１０１の雄ねじと対応する雌ねじ（採番しない）が設けられている。これにより、該キャップ１０２は、接続部１０１に螺着することで穴１０８の奥部（奥部の面）が接続部１０１の先端開口を封止した状態になるように構成されている。
【００２８】
上記構成の噴霧器本体１０は、図２及び図３に示す如く、シリンダ１００及びキャップ１０２に筒状のシュリンク材１０９を被嵌して該シュリンク材１０９を収縮させることで一体的に包装されている。なお、シュリンク材１０９とは、熱収縮性を有する材料で、本実施形態においては筒状にされることで、周方向に収縮するものが採用される。そして、筒状にされたシュリンク材１０９は、一端側がキャップ１０２よりも外側に延出するようにシリンダ１００及びキャップ１０２に被嵌された上で熱収縮される。これにより、キャップ１０２の端面よりも外側に延出した部分が内側に倒れ込み、該キャップ１０２の端面における円環状の領域を押さえ込むようになっている。
【００２９】
該シュリンク材１０９は、有色透明又は無色透明の樹脂フィルムであり、所定領域に薬液に関する情報や軸心方向に間隔をあけた目盛り等が印刷されている。本実施形態に係るシュリンク材１０９は、接続部１０１とシリンダ１００との境界付近において全周に亘って切断可能な切断補助手段１１０が設けられている。該切断補助手段１１０は、シュリンク剤１０９のキャップ１０２を覆った部分を切除できるように、全周に亘って形成されており、例えば、ミシン目やカットテープ等（本実施形態においてはミシン目）で構成される。
【００３０】
本実施形態に係る噴霧器本体１０は、キャップ１０２と接続部１０１とが螺合によって接続されるとともに、シュリンク材１０９の切断補助手段１１０がミシン目で構成されているため、被嵌したシュリンク材１０９とともにキャップ１０２を回すことで、シュリンク材１０９が切断補助手段１１０で切断されつつキャップ１０２と接続部１０１との螺合が解除されるようになっている。
【００３１】
なお、本実施形態にようにシュリンク材１０９を筒状にするには、略四角形状の樹脂フィルムを筒状に丸めて重なり合う端部同士を接合すればよいが、その端部同士の接合は、接着剤を用いてもよいし、熱溶着（ヒートシール）で行ってもよい。
【００３２】
前記スプレーノズル２０は、図４に示す如く、接続部１０１に流体的に接続可能とされている。そして、本実施形態に係るスプレーノズル２０は、図５に示す如く、接続部１０１に接続された状態で、ピストン１０３の移動によって薬液が加圧状態にあるとき（シリンダ１００の内圧が上昇するとき）に該薬液の外側に向けての流通を許容する一方、ピストン１０３が停止して薬液が非加圧状態にあるとき（シリンダ１００の内圧が一定であるとき）に該薬液の流通を阻止する液だれ防止手段２００が内装されている。
【００３３】
ここでスプレーノズル２０について具体的に説明すると、本実施形態に係るスプレーノズル２０は、図６に示す如く、段付き筒状に形成された本体部材２０１と、薬液を噴霧するための噴霧口２０２ｃが形成され、本体部材２０１に取り付けられる第一ノズル体２０２と、本体部材２０１に内装された前記液だれ防止手段２００とを備えている。
【００３４】
前記本体部材２０１は、樹脂成形品であり、接続部１０１に接続される被接続部２０１ａと、該被接続部２０１ａに連設されて前記液だれ防止手段２００が内装されるとともに第一ノズル体２０２が取り付けられる取付部２０１ｂとで構成されている。
【００３５】
前記被接続部２０１ａは、段付き筒状に形成された本体部材２０１の小径部分で構成されている。そして、本実施形態に係る接続部１０１の外周に雄ねじが形成されているため、該被接続部２０１ａの内周には接続部１０１の雄ねじに対応した雌ねじ（図６において図示省略）が形成されている。
【００３６】
前記取付部２０１ｂは、段付き筒状に形成された本体部材２０１の大径部分で構成されており、前記被接続部２０１ａと略同心をなして内部を連通させている。
【００３７】
前記第一ノズル体２０２は、筒状に形成された第一筒状部２０２ａと、該第一筒状部２０２ａの一端開口を閉塞した第一閉塞部２０２ｂとで構成されており、前記第一閉塞部２０２ｂに前記噴霧口２０２ｃが貫通して形成されている。該第一ノズル体２０２は、第一閉塞部２０２ｂが本体部材２０１の先端側に位置するように取付部２０１ｂに第一筒状部２０２ａを液密に嵌合できるようになっている。
【００３８】
前記液だれ防止手段２００は、前記第一ノズル体２０２に内嵌される第二ノズル体２０３と、該第二ノズル体２０３に内装される弁部材２０４とを備えている。
【００３９】
前記第二ノズル体２０３は、第一ノズル体２０２の第一筒状部２０２ａに同心で且つ液密に嵌合される第二筒状部２０３ａと、該第二筒状部２０３ａの一端開口を閉塞した第二閉塞部２０３ｂとで構成されている。該第二ノズル体２０３は、第二閉塞部２０３ｂに内外を連通させる連通穴２０３ｃが穿設されている。該連通穴２０３ｃは、第二閉塞部２０３ｂに対して少なくとも一カ所に設ければよいが、本実施形態においては、第二閉塞部２０３ｂに対して４カ所に設けられている。該４つの連通穴２０３ｃは、第二筒状部２０３ａの周方向に間隔をあけて配置されている。
【００４０】
前記弁部材２０４は、円環状に形成された鍔部２０４ａと、該鍔部２０４ａの内周に基端側が接続されて先端側ほど先細りしたテーパ筒状部２０４ｂとを備えている。該テーパ筒状部２０４ｂは、先端が閉塞しており、本実施形態において、外観円錐台状に形成されている。
【００４１】
そして、該弁部材２０４は、全体的に弾性変形可能な材料で成形され、テーパ筒状部２０４ｂに軸線方向に延びるスリット２０４ｃが設けられている。本実施形態に係る液だれ防止手段２００は、弁部材２０４のテーパ筒状部２０４ｂが取付部２０１ｂの先端側に位置するように鍔部２０４ａが取付部２０１ｂに嵌入された上で、第一ノズル体２０２に内嵌された第二ノズル体２０３（第二筒状部２０３ａ）でテーパ筒状部２０４ｂを囲むように、第二ノズル体２０３を内嵌した第一ノズル体２０２が取付部２０１ｂに内嵌される。このようにすることで、被接続部２０１ａと取付部２０１ｂとの境界に形成される段差と第一ノズル体２０２（第一筒状部２０２ａ）及び第二ノズル体２０３（第二筒状部２０３ａ）の基端とによって鍔部２０４ａを挟み込んで、弁部材２０４を固定するようになっている。
【００４２】
上記構成の液だれ防止手段２００は、図５に示す如く、被接続部２０１ｂを接続部１０１に接続した上でプランジャ１０７が押されてシリンダ１００内の内圧が上昇する（加圧状態になる）と、その上昇した圧力で弁部材２０４（テーパ筒状部２０４ｂ）が変形してスリット２０４ｃが押し広げられるようになっている。これにより、スプレーノズル２０は、プランジャ１０７を押したときに、スリット２０４ｃを介して第二ノズル体２０３との間に流れ込んだ薬液が、第二ノズル体２０３の連通穴２０３ｃを介して第二ノズル体２０３と第一ノズル体２０２との間に流れ込み、最終的に該第一ノズル体２０２の噴霧口２０２ｃから吹き出るようになっている。
【００４３】
また、本実施形態に係る液だれ防止手段２００は、プランジャ１０７に対する押し作用を停止してシリンダ内１０の内圧が一定になる（非加圧状態になる）と、弁部材２０４が復元してスリット２０４ｃが狭まって薬液の流通経路を遮断するとともに、弁部材２０４の復元に伴って第一ノズル体２０２側及び第二ノズル体２０３側にある薬液が弁部材２０４側に引き戻されるようになっている。これにより、本実施形態に係るスプレーノズル２０は、薬液を噴霧しない状態で、第一ノズル体２０２の噴霧口２０２ｃから液だれするのを防止できるようになっている。
【００４４】
本実施形態に係る薬液噴霧キット１は、図７に示す如く、上記構成の噴霧器本体１０とスプレーノズル２０とが一体的に包装されることで流通過程におかれる。該薬液噴霧キット１の包装形態は特に限定されるものではないが、本実施形態においては、ブリスターパックＢによって包装されている。
【００４５】
ブリスターパックＢとは、包装対象物の形状に対応した凹部Ａを形成するようにフィルム材をプレス成形した包装材本体Ｂａに対し、凹部Ａに包装対象物を嵌め込んだ上で、該凹部を塞ぐように平らなフィルム又は厚手のシートからなるカバー材Ｂｂを剥離可能に貼着する包装形態である。
【００４６】
従って、本実施形態において、包装材本体Ｂａには噴霧器本体１０及びスプレーノズル２０を嵌め込む凹部Ａが形成されており、該凹部内の噴霧器本体１０及びスプレーノズル２０が脱落しないように包装材本体Ｂａにカバー材Ｂｂが剥離可能に貼着される。なお、内容物を確認できるように、包装材本体Ｂａ及びカバー材Ｂｂの少なくとも何れか一方を、有色透明又は無色透明に構成することが好ましい。
【００４７】
本実施形態に係る薬液噴霧キット１は、以上の構成からなり、次に使用方法（作用）について説明する。該薬液噴霧キット１は、上述の如く、術後の癒着を防止するために薬液を患部に吹き付けるものであるため、患部（臓器）が露呈する外科手術中に用いられる。そして、該薬液噴霧キット１は、封入された薬液の容量が５ｍｌ〜１００ｍｌ、好ましくは、１０ｍｌ〜５０ｍｌに設定されているため、その処置で必要であろうとする容量となるセット数が予め用意される。
【００４８】
そして、薬液を患部に吹き付ける前に、ブリスターパックＢを開封するとともに、キャップ１０２を接続部１０１から取り外し、図５に示す如く、その接続部１０１にスプレーノズル２０を流体的に接続する。そして、プランジャ１０７（押圧部１０７ｂ）を押して、シリンダ１００内のピストン１０３を該シリンダ１００の一端側に移動させる。そうすると、そのピストン１０３によって薬液が押されてノズルの噴霧口２０２ｃから吐出し、患部に向けて噴霧されることになる。そして、ピストン１０３がシリンダ１００内の途中位置になるようにプランジャ１０７に対する付勢（押圧）を解除すると、液だれ防止手段２００によりスプレーノズル２０の噴霧口２０２ｃからの液だれが防止され、再度プランジャ１０７を付勢すれば噴霧が再開されることになる。
【００４９】
以上のように、本実施形態に係る薬液噴霧キット１によれば、薬液を収容する筒状のシリンダ１００の一端に連通連設された筒状の接続部１０１にキャップ１０２が封着されるとともに、前記シリンダ１００の軸心方向に移動可能にピストン１０３が装填されてシリンダ１００内に薬液が封入された噴霧器本体１０を備えているので、噴霧器本体１０が使用直前まで密閉されて薬液が外気に触れる等といったことがなく、使用直前まで衛生的な状態で維持することができる。そして、該噴霧器本体１０は、キャップ１０２がシリンダ１００内の内圧上昇に抗して接続部１０１に対する封着状態を維持可能に設けられているので、加熱殺菌処理を行ったときに薬液が漏れることがない。これにより、零れ出た薬液が不衛生な状態にしたり、収容した薬液が減ってしまったりすることがなく、使用直前まで薬剤を適正な状態で封入することができる。
【００５０】
そして、該薬液噴霧キット１は、噴霧器本体１０のキャップ１０２が接続部１０１に対して取外し可能に設けられるとともに、接続部１０１に対して流体的に接続可能なスプレーノズル２０を備えているので、キャップ１０２を取外してスプレーノズル２０を接続部１０１に取り付けた上で、ピストン１０３をシリンダ１００の軸線方向に移動させて薬液を押し出すことで、スプレーノズル２０から薬液を噴霧することができる。
【００５１】
また、噴霧器本体１０とスプレーノズル２０とがブリスターパックＢで一体的に包装されているので、同時開封することで霧器本体１０とスプレーノズル２０との組み合わせを間違えることも防止することができる。
【００５２】
本実施形態においては、接続部１０１に対するキャップ１０２及びスプレーノズル２０の接続を互いに螺合させること行うようにしたので、キャップ１０２の取り外しやスプレーノズル２０の取り付けが簡単である上に、取り付けた状態で内圧が作用しても離脱させることなくその状態を維持させることができる。
【００５３】
そして、前記噴霧器本体１０は、シリンダ１００及びキャップ１０２に筒状のシュリンク材１０９を被嵌して該シュリンク材１０９を収縮させることで一体的に包装されているので、加熱殺菌処理やピストン１０３に対する外力の作用等が生じてシリンダ１００内の内圧が上昇しても、キャップ１０２がシュリンク材１０９による包装で内圧上昇に抗して接続部１０１に対する封着状態を維持することになる。その一方で、使用時にシュリンク材１０９の少なくともキャップ１０２を包装した部位を捲れば、キャップ１０２に対する規制が解除され、キャップ１０２を取り外すことができる。従って、本実施形態においては、キャップ１０２を接続部１０１に螺合させる構成としてので、互いの螺合とシュリンク材１０９による包装によって互いの接続をより強固にしつつも、キャップ１０２を容易に取り外すことができる。
【００５４】
さらに、前記スプレーノズル２０は、接続部１０１に接続された状態で、ピストン１０３の移動によって薬液が加圧状態にあるときに該薬液の流通を許容する一方、ピストン１０３が停止して薬液が非加圧状態にあるときに該薬液の流通を阻止する液だれ防止手段２００が内装されているので、使用時においても薬液の液だれを防止した上でスプレーノズル２０から薬液を円滑に噴霧することができる。
【００５５】
尚、本発明の薬液噴霧キットは、上記実施形態に限定されるものではなく、本発明の要旨を逸脱しない範囲内において種々変更を加え得ることは勿論である。
【００５６】
上記実施形態において、噴霧器本体１０内に薬液として癒着防止剤を封入したが、これに限定されるものではなく、消毒液や目薬等のように患部に対して吹き付ける薬液であればよい。
【００５７】
上記実施形態において、噴霧器本体１０の接続部１０１にスプレーノズル２０を螺合することで互いに接続するようにしたが、これに限定されるものではなく、例えば、接続部１０１にスプレーノズル２０の被接続部２０１ａに対して圧入状態で嵌合して接続できるようにしたり、接続部１０１及び被接続部２０１ａの少なくとも何れか一方に相手側に向けて突出した凸部を形成するとともに、他方に前記凸部をシリンダ１００の軸線方向に案内した後に該シリンダ１００の周方向に案内する係合溝を形成するようにしたりしてもよい。但し、何れの場合も、ピストン１０３を付勢したとき（薬液を押し出すとき）に作用する圧力に抗してスプレーノズル２０と接続部１０１との接続状態を維持できるようにすることは勿論のことである。また、キャップ１０２もスプレーノズル２０と同様にすることは勿論のことである。
【００５８】
上記実施形態において、薬液噴霧キット１（噴霧器本体１０及びスプレーノズル２０）をブリスターパックＢで一体的に包装するようにしたが、これに限定されるものではなく、例えば、薬液噴霧キット１を袋に入れて真空パックするようにしてもよい。すなわち、噴霧器本体１０とスプレーノズル２０とを一体的にできる包装形態であれは種々変更可能である。
【００５９】
上記実施形態において、ピストン１０３にプランジャ１０７を連設したが、これに限定されるものではなく、例えば、ピストン１０３とプランジャ１０７とを別体に構成し、使用時（薬液を噴霧するとき）にピストン１０３を棒状のプランジャ１０７で押すようにしてもよい。
【００６０】
上記実施形態において、キャップ１０２をゴム等の弾性材料で成形したが、キャップ１０２は、接続部１０１の開口を液密に封止できればよく、例えば、上記実施形態のように全体をゴム等の弾性材料で成形したり、穴１０８の奥部に弾性材料からなるパッキンを内装したりして、接続部１０１との螺合による軸心方向の締め付け力を穴１０８の奥部又はパッキンに作用させて封止状態になるように構成してもよい。
【図面の簡単な説明】
【００６１】
【図１】本発明の一実施形態に係る薬液噴霧キットの構成を説明するための分解斜視図を示す。
【図２】同実施形態に係る薬液噴霧キットの噴霧器本体内に薬液が封入された状態の斜視図を示す。
【図３】同実施形態に係る薬液噴霧キットの噴霧器本体内に薬液が封入された状態の縦断面図を示す。
【図４】同実施形態に係る薬液噴霧キットの噴霧器本体にスプレーノズルを接続した状態の斜視図を示す。
【図５】同実施形態に係る薬液噴霧キットの噴霧器本体にスプレーノズルを接続した状態の縦断面図及びスプレーノズルの拡大断面図を示す。
【図６】同実施形態に係る薬液噴霧キットのスプレーノズルの分解斜視図を示す。
【図７】同実施形態の薬液噴霧キットをブリスターパックで包装した状態の斜視図を示す。
【符号の説明】
【００６２】
１…薬液噴霧キット、１０…噴霧器本体、２０…スプレーノズル、１００…シリンダ、１０１…接続部、１０２…キャップ、１０３…ピストン、１０４…円環状部、１０５，１０５…フランジ、１０６…シール部、１０７…プランジャ、１０７ａ…プランジャ本体、１０７ｂ…押圧部、１０７ｃ…ピストン連結部、１０８…穴、１０９…シュリンク材、１１０…切断補助手段、２００…防止手段、２０１…本体部材、２０１ａ…被接続部、２０１ａ…本体部、２０１ａ…被接続部、２０１ｂ…本体部、２０１ｂ…被接続部、２０２…第一ノズル体、２０２ａ…第一筒状部、２０２ｂ…第一閉塞部、２０２ｃ…噴霧口、２０３…第二ノズル体、２０３ａ…第二筒状部、２０３ｂ…第二閉塞部、２０３ｃ…連通穴、２０４…弁部材、２０４ａ…鍔部、２０４ｂ…テーパ筒状部、２０４ｃ…スリット、Ｂ…ブリスターパック、Ｂａ…包装材本体、Ｂｂ…カバー材、Ａ…凹部
【図１】
0004938593.tif 000002
【図２】
0004938593.tif 000003
【図３】
0004938593.tif 000004
【図４】
0004938593.tif 000005
【図５】
0004938593.tif 000006
【図６】
0004938593.tif 000007
【図７】
0004938593.tif 000008